(57)【特許請求の範囲】
【請求項１】
操作面に画像を表示する表示部と、
前記操作面への押圧を検出する押圧センサと、
前記表示部が第１のページを前記操作面に表示しているときに前記押圧センサが前記操作面への押圧を検出すると、前記第１のページの内容および存在位置の少なくとも一方を示すページ情報を記憶するページ管理部と、を備え、
前記ページ管理部は、前記第１のページと異なる第２のページを前記表示部が前記操作面に表示しているときに前記押圧センサが前記操作面への押圧を検出すると、前記ページ情報に基づいて、前記第１のページを表示するよう前記表示部に指示し、
前記ページ管理部は、前記ページ情報を記憶した後、前記押圧センサが前記操作面への一定時間以上の押圧を検出すると、前記ページ情報を消去する、表示装置。
【請求項２】
操作面に画像を表示する表示部と、
前記操作面への押圧を検出する押圧センサと、
前記操作面への操作位置を検出するタッチセンサと、
前記表示部が第１のページを前記操作面に表示しているときに前記押圧センサが前記操作面への押圧を検出すると、前記第１のページの内容および存在位置の少なくとも一方を示すページ情報を記憶するページ管理部と、を備え、
前記ページ管理部は、前記第１のページと異なる第２のページを前記表示部が前記操作面に表示しているときに前記押圧センサが前記操作面への押圧を検出すると、前記ページ情報に基づいて、前記第１のページを表示するよう前記表示部に指示し、
前記表示部は、前記操作面内に複数の表示領域を設け、各表示領域で画像を表示し、
前記ページ管理部は、前記表示部が前記複数の表示領域の内の第１の表示領域に前記第１のページを表示しているときに前記タッチセンサによって検出された操作位置が前記第１の表示領域内であり、且つ、前記押圧センサが前記操作面への押圧を検出すると、前記ページ情報を記憶し、
前記ページ管理部は、前記ページ情報を記憶した後、前記タッチセンサによって検出された操作位置が前記複数の表示領域の内の第２の表示領域内であり、且つ、前記押圧センサが前記操作面への押圧を検出すると、前記ページ情報を消去する、表示装置。
【請求項３】
前記操作面への操作位置を検出するタッチセンサを備え、
前記表示部は、前記操作面内に複数の表示領域を設け、各表示領域で画像を表示し、
前記ページ管理部は、前記表示部が前記複数の表示領域の内の第１の表示領域に前記第１のページを表示しているときに前記タッチセンサによって検出された操作位置が前記第１の表示領域内であり、且つ、前記押圧センサが前記操作面への押圧を検出すると、前記ページ情報を記憶する、請求項１に記載の表示装置。
【請求項４】
前記ページ管理部は、前記表示部が前記第２のページを前記第１の表示領域に表示しているときに前記タッチセンサによって検出された操作位置が前記第１の表示領域内であり、且つ、前記押圧センサが前記操作面への押圧を検出すると、前記ページ情報に基づいて、前記第１のページを前記第１の表示領域に表示するよう前記表示部に指示する、請求項３に記載の表示装置。
【請求項５】
前記ページ管理部は、前記ページ情報を記憶した後、前記タッチセンサによって検出された操作位置が前記複数の表示領域の内の第２の表示領域内であり、且つ、前記押圧センサが前記操作面への押圧を検出すると、前記ページ情報を消去する、請求項３または請求項４に記載の表示装置。
【請求項６】
前記押圧センサは、キラル高分子によって形成された圧電フィルムを有する、請求項１から請求項５のいずれか１項に記載の表示装置。
【請求項７】
前記キラル高分子は、ポリ乳酸である、請求項６に記載の表示装置。
【請求項８】
前記ポリ乳酸は、Ｌ型ポリ乳酸である、請求項７に記載の表示装置。
【発明の詳細な説明】
【技術分野】
【０００１】
本発明は、画像を画面に表示し、ユーザが当該画面を触わることで操作入力を検出する表示装置に関する。
【背景技術】
【０００２】
従来、画像を画面に表示する表示装置が各種考案されている。例えば、特許文献１には、画面に画像を表示する表示部と、その表示部の周囲に設けられた複数の操作スイッチとを備える薄型表示装置が開示されている。【０００３】
当該薄型表示装置は、表示部の画面にページを表示する。複数の操作スイッチには、現在表示されているページの次のページを表示する第１スイッチと、現在表示されているページの前のページを表示する第２スイッチと、が含まれている。第１スイッチへの操作を繰り返すことで、ユーザは、表示部の画面に表示されるページを次のページに切り替えていくことができる。
【先行技術文献】
【特許文献】
【０００４】
【特許文献１】特開２００２−３７３０４５号公報
【発明の概要】
【発明が解決しようとする課題】
【０００５】
しかしながら、例えば特許文献１の薄型表示装置が、第１のページを表示した後、第１スイッチへの操作をユーザが繰り返すことで、第１のページと異なる第２のページを表示しているとき、ユーザは、もう一度、第１のページを画面に表示させたいと考える場合がある。【０００６】
この場合、ユーザは、第２のページから第１のページに戻すため第２スイッチへの操作を複数回繰り返す必要がある。したがって、特許文献１の薄型表示装置には、第２スイッチへの操作回数が増加するにつれて操作に手間がかかり、ユーザの使い勝手が悪いという問題がある。【０００７】
そこで、本発明は、ユーザの使い勝手を向上させた表示装置を提供することを目的とする。
【課題を解決するための手段】
【０００８】
この発明の表示装置は、表示部、押圧センサ、及びページ管理部を備える。表示部は、操作面に画像を表示する。押圧センサは、操作面への押圧を検出する。ページ管理部は、表示部が第１のページを操作面に表示しているときに押圧センサが操作面への押圧を検出すると、第１のページの内容および存在位置の少なくとも一方を示すページ情報を記憶する。ページ管理部は、第１のページと異なる第２のページを表示部が操作面に表示しているときに押圧センサが操作面への押圧を検出すると、ページ情報に基づいて、第１のページを表示するよう表示部に指示する。【０００９】
ユーザは、操作面に表示されるページを次のページに切り替えていくとき、後でもう一度見たいページがあった場合、そのページが操作面に表示されているときに操作面を指等で押圧する。ページ管理部は、押圧センサが操作面への押圧を検出すると、そのページを第１のページとして扱い、第１のページのページ情報を記憶する。ページ情報は、例えば、第１のページのＨＴＭＬ、第１のページのＵＲＬ、又は第１のページのページ番号などである。【００１０】
その後、ユーザは、操作面に表示されるページを次のページに切り替えていく。このとき、ユーザは、もう一度、第１のページを操作面に表示させたいと考えた場合、第２のページが操作面に表示されているときに操作面を指等で押圧する。ページ管理部は、押圧センサが操作面への押圧を検出すると、ページ情報に基づいて、第１のページを表示するよう表示部に指示する。【００１１】
これにより、もう一度、第１のページが操作面に表示される。そのため、この構成では、ユーザは、第２のページから第１のページに戻すための操作を複数回繰り返す必要がない。【００１２】
したがって、この構成によれば、ユーザの使い勝手を向上させることができる。【００１３】
また、この発明の表示装置では、ページ管理部は、ページ情報を記憶した後、押圧センサが操作面への一定時間以上の押圧を検出すると、ページ情報を消去することが好ましい。【００１４】
この構成では、第１のページをリセットしたいと考えた場合、ユーザは、操作面を所定閾値以上の押圧力で一定時間以上押圧する。これにより、第１のページのページ情報が消去され、ユーザは、第１のページを新たに決め直すことができる。【００１５】
また、この発明の表示装置では、次の構成であることが好ましい。この発明の表示装置は、操作面への操作位置を検出するタッチセンサを備える。そして、表示部は、操作面内に複数の表示領域を設け、各表示領域で画像を表示する。ページ管理部は、表示部が複数の表示領域の内の第１の表示領域に第１のページを表示しているときにタッチセンサによって検出された操作位置が第１の表示領域内であり、且つ、押圧センサが操作面への押圧を検出すると、ページ情報を記憶する。【００１６】
この構成では、操作面の各表示領域への操作を繰り返すことで、ユーザは、操作面の各表示領域に表示されるページを次のページに切り替えていくことができる。このとき、後でもう一度見たいページがあった場合、ユーザは、そのページが表示されている表示領域内を指等で押圧する。ページ管理部は、その表示領域内で押圧センサが操作面への押圧を検出すると、そのページを第１のページとして扱い、第１のページを表示している表示領域を第１の表示領域として扱い、第１のページのページ情報を記憶する。【００１７】
したがって、この構成によれば、操作面内に複数の表示領域が設けられる場合でも、ユーザは、第１のページを設定することができる。【００１８】
また、この発明の表示装置では、ページ管理部は、表示部が第２のページを第１の表示領域に表示しているときにタッチセンサによって検出された操作位置が第１の表示領域内であり、且つ、押圧センサが操作面への押圧を検出すると、ページ情報に基づいて、第１のページを第１の表示領域に表示するよう表示部に指示することが好ましい。【００１９】
この構成では、もう一度、第１のページを操作面に表示させたいとユーザが考えた場合、ユーザは、第２のページが第１の表示領域に表示されているときに第１の表示領域内を指等で押圧する。ページ管理部は、第１の表示領域内で押圧センサが操作面への押圧を検出すると、ページ情報に基づいて、第１のページを第１の表示領域に表示するよう表示部に指示する。【００２０】
これにより、もう一度、第１のページが第１の表示領域に操作面に表示される。そのため、この構成では、ユーザは、第２のページから第１のページに戻すための操作を複数回繰り返す必要がない。【００２１】
したがって、この構成によれば、操作面内に複数の表示領域が設けられる場合でも、ユーザの使い勝手を向上させることができる。【００２２】
また、この発明の表示装置では、ページ管理部は、ページ情報を記憶した後、タッチセンサによって検出された操作位置が複数の表示領域の内の第２の表示領域内であり、且つ、押圧センサが操作面への押圧を検出すると、ページ情報を消去することが好ましい。【００２３】
この構成では、第１のページをリセットしたいと考えた場合、ユーザは、第２の表示領域内を指等で押圧する。第２の表示領域は、第１の表示領域と異なる領域である。これにより、第１のページのページ情報が消去され、ユーザは、第１のページを新たに決め直すことができる。【００２４】
また、この発明の表示装置では、押圧センサは、キラル高分子によって形成された圧電フィルムを有することが好ましい。【００２５】
この構成では、押圧検出信号の信号レベルを、確実且つ高感度に検出することができる。【００２６】
また、この発明の表示装置では、キラル高分子は、ポリ乳酸であることが好ましい。【００２７】
この構成では、押圧検出信号の信号レベルを、確実且つ高感度に検出することができる。【００２８】
また、この発明の表示装置では、ポリ乳酸は、Ｌ型ポリ乳酸であることが好ましい。【００２９】
この構成では、押圧検出信号の信号レベルを、確実且つ高感度に検出することができる。
【発明の効果】
【００３０】
この発明によれば、ユーザの使い勝手を向上させることができる。
【図面の簡単な説明】
【００３１】
【図１】本発明の第１の実施形態に係る表示装置１の外観斜視図である。
【図２】図１に示すＳ−Ｓ線の断面図である。
【図３】図２に示すタッチセンサ１１Ｄの平面図である。
【図４】図２に示す押圧センサ１１Ｐの平面図である。
【図５】図１に示す表示装置１のブロック図である。
【図６】図５に示す制御部２０が実行する処理を示すフローチャートである。
【図７】図１に示す操作面１０１に表示される第１のページの一例を示す図である。
【図８】図１に示す操作面１０１に表示される第２のページの一例を示す図である。
【図９】本発明の第２の実施形態に係る表示装置２の制御部２０が実行する処理を示すフローチャートである。
【図１０】本発明の第２の実施形態に係る表示装置２の操作面１０１に表示される第１のページの一例を示す図である。
【図１１】本発明の第２の実施形態に係る表示装置２の操作面１０１に表示される第２のページの一例を示す図である。
【発明を実施するための形態】
【００３２】
本発明の第１の実施形態に係る表示装置について、図を参照して説明する。図１は、本発明の第１の実施形態に係る表示装置１の外観斜視図である。図２は、図１に示すＳ−Ｓ線の断面図である。図３は、図２に示すタッチセンサ１１Ｄの平面図である。図４は、図２に示す押圧センサ１１Ｐの平面図である。図５は、図１に示す表示装置１のブロック図である。
【００３３】
図１に示すように、表示装置１は、携帯可能な程度の大きさからなる筐体１００を備える。表示装置１は、例えばタブレットやスマートフォンである。
【００３４】
筐体１００は、長さ及び幅が厚さよりも大きな直方体形状であり、天面が開口する形状からなる。筐体１００には、図１、図２に示すように、筐体１００の開口面を塞ぐよう平板状の操作入力部１０が嵌め合されている。操作入力部１０の一方の主面が操作面１０１となる。操作入力部１０は、透光性を有する材料からなる。
【００３５】
筐体１００内には、図１、図２に示すように、操作面１０１側から、タッチセンサ１１Ｄ、押圧センサ１１Ｐ、表示部３０、制御回路モジュール５２、及び図５に示すバッテリ７０がこの順番に配置されている。タッチセンサ１１Ｄ及び押圧センサ１１Ｐは、組み合わされて、操作入力部１０を構成する。タッチセンサ１１Ｄ、押圧センサ１１Ｐ、および表示部３０は平板状であり、それぞれの平板面が筐体１００の操作面１０１に平行になるように、筐体１００に配置されている。
【００３６】
筐体１００の底面と表示部３０との間には、回路基板（図示せず）が配置されており、当該回路基板に制御回路モジュール５２が実装されている。制御回路モジュール５２は、図５に示す、制御部２０、記憶部２１、ＲＡＭ２２、無線ＬＡＮ通信部６０、及び３Ｇ通信部６１を実現するモジュールである。制御回路モジュール５２は、タッチセンサ１１Ｄ、押圧センサ１１Ｐ、表示部３０、及びバッテリ７０に接続されている。
【００３７】
タッチセンサ１１Ｄは、図２、図３に示すように、平板状の絶縁性基板１１Ｄ１と、複数の静電容量検出用電極１１Ｄ２と、複数の静電容量検出用電極１１Ｄ３と、保護膜１１Ｄ４と、を有する。
【００３８】
タッチセンサ１１Ｄの押圧センサ１１Ｐとは反対側の面には、保護膜１１Ｄ４が設けられている。保護膜１１Ｄ４は、可撓性を有し絶縁性を有する材質からなる。保護膜１１Ｄ４は、透光性を有する材質からなる。例えば、保護膜１１Ｄ４には、ＰＥＴやＰＰを用いるとよい。
【００３９】
絶縁性基板１１Ｄ１は、透光性を有する材料からなる。図２、図３に示すように、絶縁性基板１１Ｄ１の一方の平板面には、複数の静電容量検出用電極１１Ｄ２が形成されている。複数の静電容量検出用電極１１Ｄ２は長尺状であり、長尺方向が第１の方向に沿う形状からなる。複数の静電容量検出用電極１１Ｄ２は、第１の方向に直交する第２の方向に沿って間隔を空けて配置されている。
【００４０】
絶縁性基板１１Ｄ１の他方の平板面には、複数の静電容量検出用電極１１Ｄ３が形成されている。複数の静電容量検出用電極１１Ｄ３は長尺状であり、長尺方向が第２の方向に沿う形状からなる。複数の静電容量検出用電極１１Ｄ３は、第１の方向に沿って間隔を空けて配置されている。複数の静電容量検出用電極１１Ｄ２，１１Ｄ３は透光性を有する材料からなる。
【００４１】
タッチセンサ１１Ｄは、ユーザの指が近接したり、接触した際に生じる静電容量変化を、静電容量検出用電極１１Ｄ２，１１Ｄ３で検出し、この検出に基づく信号を操作検出信号として制御回路モジュール５２へ出力する。
【００４２】
押圧センサ１１Ｐは、図２、図４に示すように、平膜状の圧電フィルム１１Ｐ１と、押圧検出電極１１Ｐ２，１１Ｐ３と、を有する。圧電フィルム１１Ｐ１の対向する各平膜面には、押圧検出電極１１Ｐ２，１１Ｐ３が形成されている。押圧検出電極１１Ｐ２，１１Ｐ３は、圧電フィルム１１Ｐ１の平膜面の略全面に形成されている。
【００４３】
押圧センサ１１Ｐは、ユーザが圧電フィルム１１Ｐ１の平膜面を押圧することで、圧電フィルム１１Ｐ１が撓んで発生する電荷を、押圧検出電極１１Ｐ２，１１Ｐ３で検出し、この検出に基づく信号を押圧検出信号として制御回路モジュール５２へ出力する。
【００４４】
なお、圧電フィルム１１Ｐ１は、圧電性を有するフィルムであればよいが、好ましくは、一軸延伸されたポリ乳酸（ＰＬＡ）、さらにはＬ型ポリ乳酸（ＰＬＬＡ）によって形成されていることが好ましい。
【００４５】
ＰＬＬＡは、キラル高分子であり、主鎖が螺旋構造を有する。ＰＬＬＡは、一軸延伸され、分子が配向すると、圧電性を有する。そして、一軸延伸されたＰＬＬＡは、圧電フィルムの平膜面が押圧されることにより、電荷を発生する。この際、発生する電荷量は、押圧により平膜面が、当該平膜面に直交する方向へ変位する変位量によって一意的に決定される。一軸延伸されたＰＬＬＡの圧電定数は、高分子中で非常に高い部類に属する。
【００４６】
したがって、ＰＬＬＡを用いることで、押圧による変位を確実且つ高感度に検出することができる。すなわち、押圧を確実に検出し、押圧量を高感度に検出することができる。
【００４７】
なお、延伸倍率は３〜８倍程度が好適である。延伸後に熱処理を施すことにより、ポリ乳酸の延びきり鎖結晶の結晶化が促進され圧電定数が向上する。なお、二軸延伸した場合はそれぞれの軸の延伸倍率を異ならせることによって一軸延伸と同様の効果を得ることが出来る。例えばある方向をＸ軸としてＸ軸方向に８倍、Ｘ軸に直交するＹ軸方向に２倍の延伸を施した場合、圧電定数に関してはおよそＸ軸方向に４倍の一軸延伸を施した場合とほぼ同等の効果が得られる。単純に一軸延伸したフィルムは延伸軸方向に沿って裂け易いため、前述したような二軸延伸を行うことにより幾分強度を増すことができる。
【００４８】
また、ＰＬＬＡは、延伸等による分子の配向処理で圧電性を生じ、ＰＶＤＦ等の他のポリマーや圧電セラミックスのように、ポーリング処理を行う必要がない。すなわち、強誘電体に属さないＰＬＬＡの圧電性は、ＰＶＤＦやＰＺＴ等の強誘電体のようにイオンの分極によって発現するものではなく、分子の特徴的な構造である螺旋構造に由来するものである。
【００４９】
このため、ＰＬＬＡには、他の強誘電性の圧電体で生じる焦電性が生じない。さらに、ＰＶＤＦ等は経時的に圧電定数の変動が見られ、場合によっては圧電定数が著しく低下する場合があるが、ＰＬＬＡの圧電定数は経時的に極めて安定している。したがって、周囲環境に影響されることなく、押圧による変位を高感度に検出することができる。
【００５０】
このような一軸延伸処理された圧電フィルム１１Ｐ１は、図２、図４に示すように、筐体１００の側面に沿った直交二方向に対して、一軸延伸方向９００が略４５°の角度を成すように、筐体１００に配置されることが好ましい。このような配置を行うことで、より高感度に変位を検出できる。したがって、押圧および押圧量をより高感度に検出することができる。
【００５１】
押圧検出電極１１Ｐ２，１１Ｐ３は、図２、図４に示すように、ポリチオフェンやポリアニリンを主成分とする有機電極、ＩＴＯ、ＺｎＯ、銀ナノワイヤ、カーボンナノチューブ、グラフェン等の無機電極のいずれかを用いるのが好適である。これらの材料を用いることで、透光性の高い導体パターンを形成できる。
【００５２】
図１、図２に示すように、筐体１００の内部における操作入力部１０の他方の主面には、表示部３０が配置されている。表示部３０は、所謂フラットディスプレイからなり、ここでは、具体的に液晶表示素子からなる。表示部３０は、液晶パネル３０１、表面偏光板３０２、裏面偏光板３０３、バックライト３０４を備える。表面偏光板３０２と裏面偏光板３０３は、液晶パネル３０１を挟むように配置されている。バックライト３０４は、裏面偏光板３０３を挟んで、液晶パネル３０１と反対側に配置されている。
【００５３】
次に、図５に示すように、表示装置１は、操作入力部１０、制御部２０、記憶部２１、ＲＡＭ２２、表示部３０、無線ＬＡＮ通信部６０、３Ｇ通信部６１、及びバッテリ７０を備える。
【００５４】
なお、制御部２０及びＲＡＭ２２が、本発明の「ページ管理部」を構成する。
【００５５】
記憶部２１は、例えばフラッシュメモリで構成されている。記憶部２１は、表示装置１の各部の制御方法が記述された制御プログラムを保存する。この制御プログラムには、後述するブラウザソフトを含む複数のアプリケーションソフトがインストールされている。
【００５６】
制御部２０は、例えばＣＰＵで構成されている。また、制御部２０は、現在時刻や現在日を計時するタイマー回路を有している。制御部２０は、記憶部２１に保存されている制御プログラムに従って、表示装置１の各部の動作を制御する。制御部２０は、当該制御プログラムで処理されるデータをＲＡＭ２２に展開する。
【００５７】
操作入力部１０は、例えばタッチパネルで構成されている。操作入力部１０は、押圧センサ１１Ｐ及びタッチセンサ１１Ｄを有する。さらに、表示装置１は、起動したアプリケーションソフトを終了させる物理的な終了キー（不図示）を備える。
【００５８】
押圧センサ１１Ｐは、操作入力部１０の操作面１０１が押圧されると、押圧量（押圧力）に応じた信号レベルＤＳｐの押圧検出信号を生成する。押圧センサ１１Ｐは、押圧検出信号を制御部２０へ出力する。
【００５９】
タッチセンサ１１Ｄは、静電容量センサであり、操作入力部１０の各電極の検出容量の値を示す操作検出信号を生成する。操作検出信号の信号レベルＤＳｄは、ユーザの指がタッチセンサ１１Ｄに近接もしくは接触した際に生じる静電容量の変化量に依存している。タッチセンサ１１Ｄは、生成した操作検出信号を制御部２０へ出力する。
【００６０】
制御部２０は、タッチセンサ１１Ｄから出力された操作検出信号の信号レベルＤＳｄが所定閾値よりも大きいことを検出すると、その操作検出信号から操作位置を取得する。
【００６１】
制御部２０は、押圧検出信号と操作検出信号とに基づいて、操作入力内容を決定する。この際、制御部２０は、記憶部２１を操作入力内容の判断処理用の記憶領域として用いる。制御部２０は、決定した操作入力内容に基づく画像データを生成し、表示部３０へ出力する。
【００６２】
表示部３０は、画像データに基づいて操作面１０１に画像を表示する。
【００６３】
無線ＬＡＮ通信部６０及び３Ｇ通信部６１は、不図示のアンテナを有している。無線ＬＡＮ通信部６０は、インターネットに接続された無線ＬＡＮルータを介してサーバ装置（不図示）と通信する。３Ｇ通信部６１は、携帯電話網に接続された基地局を介してサーバ装置（不図示）と通信する。
【００６４】
バッテリ７０は、表示装置１の各部に対してＤＣ動作電源の供給を行う。
【００６５】
次に、制御部２０のブラウザソフト起動時の動作について、図６、図７、図８を参照して説明する。図６は、図５に示す制御部２０が実行する処理を示すフローチャートである。図７は、図１に示す操作面１０１に表示される第１のページの一例を示す図である。図８は、図１に示す操作面１０１に表示される第２のページの一例を示す図である。
【００６６】
制御部２０は、操作面１０１に表示される複数のアプリケーションソフトのアイコンの内ブラウザソフトのアイコンをユーザがタッチすると、ブラウザソフトを起動する（Ｓ１）。
【００６７】
制御部２０は、ブラウザソフトを起動すると、ブラウザソフトに予め設定されているホームページのＵＲＬをブラウザソフトのＵＲＬ入力欄に指定する（Ｓ２）。これにより、制御部２０は、無線ＬＡＮ通信部６０又は３Ｇ通信部６１によって、指定されたＵＲＬにアクセスし、そのＵＲＬのデータをサーバ装置（不図示）からダウンロードする。当該データは、ＨＴＭＬ（ＨｙｐｅｒＴｅｘｔ  Ｍａｒｋｕｐ  Ｌａｎｇｕａｇｅ）、画像データ、ＣＳＳ（Ｃａｓｃａｄｉｎｇ  Ｓｔｙｌｅ  Ｓｈｅｅｔｓ）を含む。
【００６８】
次に、制御部２０は、ダウンロードしたＨＴＭＬの記述に従ってホームページを表示するよう表示部３０に指示する（Ｓ３）。
【００６９】
そして、制御部２０は、操作面１０１が押圧されたかどうか（Ｓ４）、前述した終了キーが操作されたかどうか（Ｓ５）、操作面１０１に表示されているリンク等が操作されたかどうか（Ｓ６）、を判定する。Ｓ４において制御部２０は、押圧センサ１１Ｐから出力された押圧検出信号の信号レベルＤＳｐが所定閾値以上であるかどうかを判定する。この信号レベルＤＳｐは、押圧力に応じた値を示している。
【００７０】
Ｓ６において、操作面１０１に表示されているリンクやブックマークをユーザがタッチしたとき、又はユーザが所定のＵＲＬをブラウザソフトのＵＲＬ入力欄に直接入力したとき、制御部２０は、リンクのＵＲＬ、ブックマークのＵＲＬ又は直接入力されたＵＲＬを、ＵＲＬ入力欄に指定する（Ｓ７）。
【００７１】
これにより、制御部２０は、無線ＬＡＮ通信部６０又は３Ｇ通信部６１によって、指定されたＵＲＬにアクセスし、そのＵＲＬのデータをサーバ装置（不図示）からダウンロードする。そして、制御部２０は、ダウンロードしたＨＴＭＬの記述に従ってページを表示するよう表示部３０に指示し（Ｓ３）、処理を継続する。
【００７２】
一方、Ｓ５において、ブラウザソフトを起動して直ぐにユーザが終了キーを操作した場合や、操作面１０１を押圧せずにユーザが終了キーを操作した場合、制御部２０は、ブラウザソフトを終了する（Ｓ１９）。
【００７３】
ここで、Ｓ３〜Ｓ７では、ユーザが、操作面１０１をタッチすることで、インターネット上のウェブサイトを検索したり、リンクをたどったりし、次々と閲覧して回る場面を想定している。この場面において、後でもう一度見たいページがあった場合、ユーザは、そのページが操作面１０１に表示されているときに操作面１０１を指等で押圧する。
【００７４】
押圧センサ１１Ｐから出力された押圧検出信号の信号レベルＤＳｐが所定閾値以上であることを判定すると（Ｓ４のＹ）、制御部２０は、現在のページを第１のページとして扱い（例えば図７参照）、第１のページの内容を示すページ情報をＲＡＭ２２に保存する（Ｓ８）。当該ページ情報は、ＨＴＭＬ、画像データ、及びＣＳＳ等である。
【００７５】
なお、本実施形態においてページ情報は、ＨＴＭＬ、画像データ、及びＣＳＳ等を用いるが、これに限るものではない。実施の際は例えば、第１のページの内容を示す第１のページのＨＴＭＬだけ、又は第１のページの存在位置を示す第１のページのＵＲＬだけを用いても良い。
【００７６】
そして、制御部２０は、前述した終了キーが操作されたかどうか（Ｓ９）、操作面１０１に表示されているリンク等が操作されたかどうか（Ｓ１０）、操作面１０１が再押圧されたかどうか（Ｓ１１）、操作面１０１が長押しされたかどうか（Ｓ１２）、を判定する。Ｓ１１において制御部２０はＳ４と同様に、押圧センサ１１Ｐから出力された押圧検出信号の信号レベルＤＳｐが所定閾値以上であるかどうかを判定する。また、Ｓ１２において制御部２０は、所定閾値以上の信号レベルＤＳｐが一定時間以上継続したかどうかを判定する。
【００７７】
操作面１０１に表示されているリンクやブックマークをユーザがタッチしたとき、又はユーザが所定のＵＲＬをブラウザソフトのＵＲＬ入力欄に直接入力したとき、制御部２０は、リンクのＵＲＬ、ブックマークのＵＲＬ又は直接入力されたＵＲＬを、ＵＲＬ入力欄に指定する（Ｓ１３）。
【００７８】
これにより、制御部２０は、無線ＬＡＮ通信部６０又は３Ｇ通信部６１によって、指定されたＵＲＬにアクセスし、そのＵＲＬのデータ（具体的にはＨＴＭＬ、画像データ、及びＣＳＳ）をサーバ装置（不図示）からダウンロードする。
【００７９】
次に、制御部２０は、ダウンロードしたＨＴＭＬの記述に従ってページを表示するよう表示部３０に指示する（Ｓ１４）。そして、制御部２０は、Ｓ９に戻り、処理を継続する。
【００８０】
ここで、Ｓ９〜Ｓ１４では、ユーザが、操作面１０１をタッチすることで、インターネット上のウェブサイトを検索したり、リンクをたどったりし、次々と閲覧して回る場面を想定している。この場面では、ユーザが次々と閲覧して回ることで、第１のページと異なる第２のページが操作面１０１に表示される（例えば図８参照）。
【００８１】
この場面において、もう一度、第１のページを操作面１０１に表示させたいとユーザが考えた場合、ユーザは、第２のページが操作面１０１に表示されているときに操作面１０１を指等で押圧する。
【００８２】
押圧センサ１１Ｐから出力された押圧検出信号の信号レベルＤＳｐが所定閾値以上であることを判定すると（Ｓ１１のＹ）、制御部２０は、第１のページのページ情報（本実施形態ではＨＴＭＬ、画像データ、及びＣＳＳ）を、ＲＡＭ２２から読み取る（Ｓ１５）。
【００８３】
なお、Ｓ１５において、第１のページのページ情報として第１のページのＵＲＬを、ＲＡＭ２２から読み取る場合、制御部２０はさらに、無線ＬＡＮ通信部６０又は３Ｇ通信部６１によって、読み取ったＵＲＬにアクセスし、そのＵＲＬのデータをサーバ装置（不図示）からダウンロードする。
【００８４】
次に、制御部２０は、ＲＡＭ２２から読み取ったページ情報に従って第１のページを表示するよう表示部３０に指示する（Ｓ１６）。そして、制御部２０は、Ｓ９に戻り、処理を継続する。
【００８５】
これにより、もう一度、第１のページが操作面１０１に表示される（例えば図７参照）。そのため、この構成では、ユーザは、第２のページから第１のページに戻すための操作を複数回繰り返す必要がない。
【００８６】
したがって、この構成によれば、ユーザの使い勝手を向上させることができる。
【００８７】
次に、第１のページをリセットしたいと考えた場合、ユーザは、操作面１０１を指等で一定時間以上押圧する。
【００８８】
所定閾値以上の信号レベルＤＳｐが一定時間以上継続したことを判定すると（Ｓ１２のＹ）、制御部２０は、ＲＡＭ２２に保存されている第１のページのページ情報を消去する（Ｓ１７）。そして、制御部２０は、Ｓ４に戻り、処理を継続する。
【００８９】
これにより、第１のページのページ情報がＲＡＭ２２から消去され、ユーザは、第１のページを新たに決め直すことができる。
【００９０】
最後に、ユーザが終了キーを操作した場合（Ｓ９のＹ）、制御部２０は、ＲＡＭ２２に保存されている第１のページのページ情報を消去する（Ｓ１８）。そして、制御部２０は、ブラウザソフトを終了する（Ｓ１９）。
【００９１】
次に、本発明の第２の実施形態に係る表示装置について、図を参照して説明する。
【００９２】
図９は、本発明の第２の実施形態に係る表示装置２の制御部２０が実行する処理を示すフローチャートである。図１０は、本発明の第２の実施形態に係る表示装置２の操作面１０１に表示される第１のページの一例を示す図である。図１１は、本発明の第２の実施形態に係る表示装置２の操作面１０１に表示される第２のページの一例を示す図である。
【００９３】
第２の実施形態の表示装置２の構成は、第１の実施形態の表示装置１の構成と同じである。第２の実施形態の表示装置２と第１の実施形態の表示装置１とが相違する点は、表示部３０の表示方法と制御部２０が実行する処理とである。
【００９４】
詳述すると、図１０に示すように、表示部３０は、操作面１０１内に複数のウィンドウ１１１、１１２を設け、各ウィンドウ１１１、１１２内で画像を表示する。そして、図９に示すように、第２の実施形態に係る表示装置２の制御部２０が実行する処理は、図６におけるＳ３、Ｓ７、Ｓ８、Ｓ１１、Ｓ１５、Ｓ１６をＳ２１〜Ｓ２４、Ｓ２６、Ｓ２７に置き換え、Ｓ２５とＳ２８を追加したものである。その他の処理（Ｓ１、Ｓ２、Ｓ４〜Ｓ６、Ｓ９、Ｓ１０、Ｓ１２〜Ｓ１４、Ｓ１７〜Ｓ１９）については、図６に示す処理と同じであるため、説明を省略する。
【００９５】
まず、制御部２０は、サーバ装置（不図示）からダウンロードしたＨＴＭＬの記述に従ってホームページを各表示領域で表示するよう表示部３０に指示する（Ｓ２１）。
【００９６】
そして、制御部２０は、操作面１０１が押圧されたかどうか（Ｓ４）、前述した終了キーが操作されたかどうか（Ｓ５）、操作面１０１に表示されているリンク等が操作されたかどうか（Ｓ６）、を判定する。
【００９７】
操作面１０１に表示されているリンクやブックマークをユーザがタッチしたとき、又はユーザが所定のＵＲＬをブラウザソフトのＵＲＬ入力欄に直接入力したとき、制御部２０は、リンクのＵＲＬ、ブックマークのＵＲＬ又は直接入力されたＵＲＬを、操作された表示領域のＵＲＬ入力欄に指定する（Ｓ２２）。
【００９８】
これにより、制御部２０は、無線ＬＡＮ通信部６０又は３Ｇ通信部６１によって、指定されたＵＲＬにアクセスし、そのＵＲＬのデータをサーバ装置（不図示）からダウンロードする。そして、制御部２０は、ダウンロードしたＨＴＭＬの記述に従ってページを表示するよう表示部３０に指示し（Ｓ３）、処理を継続する。
【００９９】
そして、表示装置２において、Ｓ４〜Ｓ６、Ｓ２１、Ｓ２２では、ユーザが、操作面１０１の各ウィンドウ１１１、１１２内をタッチすることで、インターネット上のウェブサイトを検索したり、リンクをたどったりし、次々と閲覧して回る場面を想定している。
【０１００】
この場面において、後でもう一度見たいページがあった場合、ユーザは、そのページが操作面１０１に表示されているときに、そのページを表示しているウィンドウ内を指等で押圧する。
【０１０１】
押圧センサ１１Ｐから出力された押圧検出信号の信号レベルＤＳｐが所定閾値以上であることを判定すると（Ｓ４のＹ）、制御部２０は、現在のページを第１のページとして扱うとともに、第１のページを表示している現在のウィンドウを第１の表示領域として扱い、第１のページのページ情報と第１の表示領域を識別する識別情報とをＲＡＭ２２に保存する（Ｓ２３）。
【０１０２】
例えば図１０では、制御部２０が、ウィンドウ１１１を第１の表示領域として扱い、ウィンドウ１１１に表示されている第１のページのページ情報とウィンドウ１１１を第１の表示領域として識別する識別情報とをＲＡＭ２２に保存する。
【０１０３】
そして、制御部２０は、前述した終了キーが操作されたかどうか（Ｓ９）、操作面１０１に表示されているリンク等が操作されたかどうか（Ｓ１０）、第１の表示領域内で操作面１０１が再押圧されたかどうか（Ｓ２４）、操作面１０１が長押しされたかどうか（Ｓ１２）、第２の表示領域内で操作面１０１が押圧されたかどうか（Ｓ２５）、を判定する。
【０１０４】
Ｓ２４において制御部２０は、第１の表示領域内で押圧され、押圧センサ１１Ｐから出力された押圧検出信号の信号レベルＤＳｐが所定閾値以上であるかどうかを判定する。また、Ｓ２５において制御部２０は、第２の表示領域内で押圧され、押圧センサ１１Ｐから出力された押圧検出信号の信号レベルＤＳｐが所定閾値以上であるかどうかを判定する。
【０１０５】
ここで、Ｓ９、Ｓ１０、Ｓ２４、Ｓ１２、及びＳ２５では、ユーザが、操作面１０１の各ウィンドウ１１１、１１２内をタッチすることで、インターネット上のウェブサイトを検索したり、リンクをたどったりし、次々と閲覧して回る場面を想定している。この場面では、ユーザが次々と閲覧して回ることで、第１のページと異なる第２のページが第１の表示領域内に表示される。
【０１０６】
この場面において、もう一度、第１のページを操作面１０１の第１の表示領域内に表示させたいとユーザが考えた場合、ユーザは、第２のページが表示されている第１の表示領域内を指等で押圧する。例えば図１１ではユーザは、第２のページが表示されているウィンドウ１１１内を指等で押圧する。
【０１０７】
第１の表示領域内で押圧され、押圧センサ１１Ｐから出力された押圧検出信号の信号レベルＤＳｐが所定閾値以上であることを判定すると（Ｓ２４のＹ）、制御部２０は、ＲＡＭ２２に保存されている第１のページのページ情報（本実施形態ではＨＴＭＬ、画像データ、及びＣＳＳ）を、ＲＡＭ２２から読み取る（Ｓ２６）。
【０１０８】
次に、制御部２０は、ＲＡＭ２２から読み取ったＨＴＭＬの記述に従って第１のページを第１の表示領域に表示するよう表示部３０に指示する（Ｓ２７）。そして、制御部２０は、Ｓ９に戻り、処理を継続する。
【０１０９】
これにより、もう一度、第１のページが第１の表示領域に表示される。例えば図１０に示すように、第１のページがウィンドウ１１１内に表示される。そのため、この構成では、ユーザは、第２のページから第１のページに戻すための操作を複数回繰り返す必要がない。
【０１１０】
したがって、第２の実施形態の表示装置２によれば、第１の実施形態の表示装置１と同様に、ユーザの使い勝手を向上させることができる。
【０１１１】
次に、第１のページをリセットしたいと考えた場合、ユーザは、第２の表示領域内を指等で押圧する。例えば図１１ではユーザは、ウィンドウ１１２内を指等で押圧する。
【０１１２】
第２の表示領域内で押圧され、押圧センサ１１Ｐから出力された押圧検出信号の信号レベルＤＳｐが所定閾値以上であることを判定すると（Ｓ２５のＹ）、制御部２０は、ＲＡＭ２２に保存されている第１のページのページ情報を消去する（Ｓ２８）。そして、制御部２０は、Ｓ４に戻り、処理を継続する。
【０１１３】
これにより、第１のページのページ情報がＲＡＭ２２から消去され、ユーザは、第１のページを新たに決めなおすことができる。
【０１１４】
なお、前記各実施形態では表示部３０が、通信手段によって受信されたページを操作面１１１に表示しているが、これに限るものではない。実施の際は例えば、表示装置がメモリーカードスロットを備え、メモリーカードスロットに差し込まれたメモリーカードから読み取ったページを操作面に表示してもよい。
【０１１５】
また、前記各実施形態ではブラウザソフトを起動しているが、これに限るものではない。本発明は例えば、ユーザが操作面への操作を繰り返すことで、操作面に表示されるページを切り替えていくタイプのアプリケーションソフト（例えば、ユーザが撮影した複数の写真を操作面に表示するアプリケーションソフト）にも適用できる。この場合、記憶管理部は、第１のページの存在位置を示すページ情報としてページ番号を記憶してもよい。
【０１１６】
最後に、前記各実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【０１１７】
１…表示装置
２…表示装置
１０…操作入力部
１１Ｄ…タッチセンサ
１１Ｄ１…絶縁性基板
１１Ｄ２，１１Ｄ３…静電容量検出用電極
１１Ｄ４…保護膜
１１Ｐ…押圧センサ
１１Ｐ１…圧電フィルム
１１Ｐ２，１１Ｐ３…押圧検出電極
２０…制御部
２１…記憶部
２２…ＲＡＭ
３０…表示部
５２…制御回路モジュール
６０…無線ＬＡＮ通信部
６１…３Ｇ通信部
７０…バッテリ
１００…筐体
１０１…操作面
１１１、１１２…ウィンドウ
３０１…液晶パネル
３０２…表面偏光板
３０３…裏面偏光板
３０４…バックライト
９００…一軸延伸方向
【図１】
0005975184.tif 000002
【図２】
0005975184.tif 000003
【図３】
0005975184.tif 000004
【図４】
0005975184.tif 000005
【図５】
0005975184.tif 000006
【図６】
0005975184.tif 000007
【図７】
0005975184.tif 000008
【図８】
0005975184.tif 000009
【図９】
0005975184.tif 000010
【図１０】
0005975184.tif 000011
【図１１】
0005975184.tif 000012